(57)【要約】  本開示に係る輸液ポンプは、輸液チューブが固定される本体部を備える輸液ポンプであって、前記本体部は、第１固定部と、押し付け位置と解放位置との間を移動可能な第２固定部と、前記第２固定部を解放位置に向かって付勢する付勢部と、前記第１固定部及び前記第２固定部の一方に配され、挟み込まれた前記輸液チューブに向かって所定の信号を送信する送信部と、前記第１固定部及び前記第２固定部の他方に配され、前記送信部から送信された信号を受信する受信部と、を備え、前記第２固定部は、回動軸に対して回動することにより、前記押し付け位置と前記解放位置との間で移動可能であり、前記付勢部は、前記回動軸上に搭載されている付勢部材により構成されている。
2020153036.tif 000002
【特許請求の範囲】
【請求項１】
輸液チューブが固定される本体部を備える輸液ポンプであって、
前記本体部は、
第１固定部と、
前記第１固定部に対して前記輸液チューブを押し付ける押し付け位置と、前記第１固定部に対する前記輸液チューブの押し付けを解放する解放位置と、の間を移動可能な第２固定部と、
前記第２固定部を解放位置に向かって付勢する付勢部と、
前記第１固定部及び前記第２固定部の一方に配され、挟み込まれた前記輸液チューブに向かって所定の信号を送信する送信部と、
前記第１固定部及び前記第２固定部の他方に配され、前記送信部から送信された信号を受信する受信部と、を備え、
前記第２固定部は、回動軸に対して回動することにより、前記押し付け位置と前記解放位置との間で移動可能であり、
前記付勢部は、前記回動軸上に搭載されている付勢部材により構成されている、輸液ポンプ。
【請求項２】
前記本体部に対して開閉可能に取り付けられているドア部を備え、
前記ドア部は、前記本体部に対して閉じられる際に、前記第２固定部を、前記付勢部材の付勢力に抗して、前記押し付け位置に向かって押圧する押圧部を備える、請求項１に記載の輸液ポンプ。
【請求項３】
前記回動軸及び前記付勢部材は、前記本体部に対して前記ドア部が閉じられている状態で、前記第２固定部を挟んで前記ドア部と反対側に位置する、請求項２に記載の輸液ポンプ。
【請求項４】
前記ドア部は、前記本体部に対して閉じられる際に、前記輸液チューブに当接し、前記第１固定部及び前記第２固定部の間に前記輸液チューブの位置を保持する位置保持部を備える、請求項２又は３に記載の輸液ポンプ。
【請求項５】
前記位置保持部は、前記輸液チューブの外周面を受ける湾曲凹部を備える、請求項４に記載の輸液ポンプ。
【請求項６】
前記位置保持部は、前記押圧部に対して、前記本体部に固定される前記輸液チューブの送液方向と、前記送液方向の逆方向と、の両方に設けられている、請求項４又は５に記載の輸液ポンプ。
【請求項７】
前記第２固定部は前記本体部の外部に露出しており、
前記回動軸及び前記付勢部材は前記本体部の内部に収容されており、
前記本体部は、前記第２固定部の周囲で前記本体部の外部から前記本体部の内部に侵入する液体を阻害する液体阻害部を備える、請求項１から６のいずれか１つに記載の輸液ポンプ。
【請求項８】
前記液体阻害部は、前記第１固定部に対する前記第２固定部の移動に追従して変形する変形部を備える、請求項７に記載の輸液ポンプ。
【発明の詳細な説明】
【技術分野】
【０００１】
本開示は輸液ポンプに関する。
【背景技術】
【０００２】
従来から、輸液バッグが接続された輸液チューブが固定され、生体内に投与される輸液チューブ内の薬液等の液体の単位時間当たりの流量を制御可能な輸液ポンプが知られている。【０００３】
特許文献１には、本体部と、開閉可能なドア部とを備える輸液ポンプが開示されている。特許文献１に開示の輸液ポンプの本体部は、気泡検出センサの送信部及び受信部の一方が配置される第１の規定部材と、気泡検出センサの送信部及び受信部の他方が配置される第２の規定部材と、を備える。また、特許文献１の輸液ポンプでは、第２の規定部材が、第１の規定部材に対して輸液チューブを押し付ける押し付け位置と、第１の規定部材に対する輸液チューブの押し付けを解放する解放位置と、の間で移動可能である。更に、特許文献１の輸液ポンプでは、第２の規定部材を解放位置の方向に付勢する付勢部材が設けられている。
【先行技術文献】
【特許文献】
【０００４】
【特許文献１】特開２０１２−０２９９１５号公報
【発明の概要】
【発明が解決しようとする課題】
【０００５】
特許文献１に記載の輸液ポンプによれば、第２の規定部材が移動可能に構成されているため、外径の異なる輸液チューブを所定位置に容易に位置決めすることができるが、ポンプの小型化の観点では、依然として改善の余地がある。【０００６】
本開示の目的は、外径の異なる輸液チューブの位置決めが容易で、かつ、小型化することが容易な構成を備える輸液ポンプを提供することである。
【課題を解決するための手段】
【０００７】
本開示の第１の態様としての輸液ポンプは、輸液チューブが固定される本体部を備える輸液ポンプであって、前記本体部は、第１固定部と、前記第１固定部に対して前記輸液チューブを押し付ける押し付け位置と、前記第１固定部に対する前記輸液チューブの押し付けを解放する解放位置と、の間を移動可能な第２固定部と、前記第２固定部を解放位置に向かって付勢する付勢部と、前記第１固定部及び前記第２固定部の一方に配され、挟み込まれた前記輸液チューブに向かって所定の信号を送信する送信部と、前記第１固定部及び前記第２固定部の他方に配され、前記送信部から送信された信号を受信する受信部と、を備え、前記第２固定部は、回動軸に対して回動することにより、前記押し付け位置と前記解放位置との間で移動可能であり、前記付勢部は、前記回動軸上に搭載されている付勢部材により構成されている。【０００８】
本開示の１つの実施形態としての輸液ポンプは、前記本体部に対して開閉可能に取り付けられているドア部を備え、前記ドア部は、前記本体部に対して閉じられる際に、前記第２固定部を、前記付勢部材の付勢力に抗して、前記押し付け位置に向かって押圧する押圧部を備える。【０００９】
本開示の１つの実施形態として、前記回動軸及び前記付勢部材は、前記本体部に対して前記ドア部が閉じられている状態で、前記第２固定部を挟んで前記ドア部と反対側に位置する。【００１０】
本開示の１つの実施形態として、前記ドア部は、前記本体部に対して閉じられる際に、前記輸液チューブに当接し、前記第１固定部及び前記第２固定部の間に前記輸液チューブの位置を保持する位置保持部を備える。【００１１】
本開示の１つの実施形態として、前記位置保持部は、前記輸液チューブの外周面を受ける湾曲凹部を備える。【００１２】
本開示の１つの実施形態として、前記位置保持部は、前記押圧部に対して、前記本体部に固定される前記輸液チューブの送液方向と、前記送液方向の逆方向と、の両方に設けられている。【００１３】
本開示の１つの実施形態として、前記第２固定部は前記本体部の外部に露出しており、前記回動軸及び前記付勢部材は前記本体部の内部に収容されており、前記本体部は、前記第２固定部の周囲で前記本体部の外部から前記本体部の内部に侵入する液体を阻害する液体阻害部を備える。【００１４】
本開示の１つの実施形態として、前記液体阻害部は、前記第１固定部に対する前記第２固定部の移動に追従して変形する変形部を備える。
【発明の効果】
【００１５】
本開示によれば、外径の異なる輸液チューブの位置決めが容易で、かつ、小型化することが容易な構成を備える輸液ポンプを提供することができる。
【図面の簡単な説明】
【００１６】
【図１】本開示の一実施形態に係る輸液ポンプの外観構成の一例を示す図であり、本体部に対してドア部が閉じられている状態での輸液ポンプの正面図である。
【図２】本体部に対してドア部が開けられている状態での、図１に示す輸液ポンプの正面図である。
【図３】図２に示す本体部の気泡検出センサ部、及び、その近傍を示す図である。
【図４】図２のI-I線での断面のうち、気泡検出センサ部及びその近傍を拡大して示す断面図である。
【図５】図３に示すセンサアセンブリを示す斜視図である。
【図６】図５に示すセンサアセンブリの分解斜視図である。
【図７】図５に示すセンサアセンブリの、図６とは異なる視点から見た分解斜視図である。
【図８】図５に示すセンサアセンブリの背面側を示す背面図である。
【図９】ドア部が閉状態での図４と同位置での断面を示す断面図である。
【発明を実施するための形態】
【００１７】
以下、本開示に係る輸液ポンプの実施形態について図面を参照して説明する。各図において共通する部材・部位には同一の符号を付している。
【００１８】
図１は、本開示の一実施形態に係る輸液ポンプ１００の外観構成の一例を示す図である。図１は、本体部２００（図２参照）に対してドア部１１０が閉じられた状態での輸液ポンプ１００の正面図である。また、図１に示す輸液ポンプ１００は、輸液チューブ１６０が固定されている状態を示している。図２は、本体部２００に対してドア部１１０が開けられている状態での輸液ポンプ１００の正面図である。したがって、図２では、本体部２００の正面とドア部１１０の背面とが露出している。また、図２に示す輸液ポンプ１００は、輸液チューブ１６０が装着されていない状態を示している。
【００１９】
以下、説明の便宜上、本体部２００に対してドア部１１０が閉じられている状態（図１参照）を単に「閉状態」と記載する。また、説明の便宜上、本体部２００に対してドア部１１０が開けられている状態（例えば図２に示す状態）を単に「開状態」と記載する。
【００２０】
図１に示すように、輸液ポンプ１００には、輸液チューブ１６０が固定される。詳細は後述するが、本実施形態の輸液ポンプ１００では、ドア部１１０が開状態で、かつ、輸液チューブ１６０が本体部２００の所定の位置に配置されている状態から、ドア部１１０が閉状態にされることで、輸液チューブ１６０が輸液ポンプ１００の本体部２００に固定される。輸液チューブ１６０のうち輸液ポンプ１００に固定される部分に対して、輸液チューブ１６０の流路上流側（送液方向Ａの逆方向）には、所定の薬液等の液体が収容された輸液バッグ１６１が接続されている。また、輸液チューブ１６０のうち輸液ポンプ１００に固定される部分に対して、輸液チューブ１６０の流路下流側（送液方向Ａ）には、クランプ部材１６２及び留置針１６３が接続されている。留置針１６３は、患者の静脈等に穿刺された状態で留置される。輸液ポンプ１００を用いることにより、輸液チューブ１６０内の液体の単位時間当たりの流量（送液速度）等が制御される。したがって、輸液バッグ１６１内の液体の患者への単位時間当たりの投与量等を、輸液ポンプ１００により制御することができる。
【００２１】
まず、本実施形態の輸液ポンプ１００の概要について説明する。
【００２２】
図１、図２に示すように、輸液ポンプ１００は、本体部２００と、本体部２００に対して開閉可能に取り付けられているドア部１１０と、を備える。
【００２３】
図１に示すように、ドア部１１０の正面には、各種情報が表示される表示部１２０と、操作スイッチ類が配列された操作部１３０と、ドアロックレバー１４０と、が配されている。また、ドア部１１０の上面には動作インジケータ１５０が配されている。
【００２４】
表示部１２０には、送液速度の設定値と実績値とが切り替えて表示される流量表示部１２１と、予定流量と積算流量とが切り替えて表示される予定量積算量表示部１２２と、各種アラーム情報が表示されるアラーム表示部１２３と、輸液チューブ１６０の閉塞圧力の設定レベルが「Ｌ」、「Ｍ」、「Ｈ」で表示される閉塞圧設定表示部１２４とが配されている。
【００２５】
アラーム表示部１２３には、更に、後述する気泡検出センサ部１（図２参照）が、輸液チューブ１６０内の気泡を検出した場合に点灯する気泡検出表示部１２５と、輸液ポンプ１００の内蔵バッテリの電圧が低下した場合に点灯するバッテリ電圧低下表示部１２６と、が配されている。更に、アラーム表示部１２３には、輸液チューブ１６０の閉塞圧力が設定レベルに到達した場合に点灯する閉塞異常表示部１２７と、ドア部１１０が開状態になった場合に点灯するドア開状態表示部１２８と、輸液が完了した場合に点灯する完了表示部１２９とが配されている。
【００２６】
操作部１３０には、送液速度や予定流量を設定するためのアップダウンスイッチ１３１と、押圧されている間、設定された送液速度（ｍＬ／ｈ）よりも高い送液速度での送液が可能となる早送りスイッチ１３２と、押圧されることで輸液が開始される開始スイッチ１３４と、押圧されることで輸液が強制停止される停止スイッチ１３３と、本体部２００の電源のＯＮ／ＯＦＦを指示するための電源スイッチ１３５と、が配されている。
【００２７】
電源スイッチ１３５には、隣接して、商用電源または直流電源を使用する場合に点灯する電源ランプ１３６と、内蔵バッテリを充電中に点灯するとともに、内蔵バッテリの残量を表示するバッテリランプ１３７と、が配されている。
【００２８】
また、本体部の上面に配された動作インジケータ１５０には、輸液ポンプ１００の送液状態を報知する機能が備えられており、送液中は所定の色（例えば緑色）に回転点灯する一方、異常により送液が停止した場合には、送液中とは異なる所定の色（例えば赤色）に点灯または点滅する。
【００２９】
次に、輸液ポンプ１００の本体部２００と、ドア部１１０の背面側の構成と、について説明する。図１に示す輸液チューブ１６０は、このドア部１１０と本体部２００との間で位置が固定されている。
【００３０】
図２に示すように、本体部２００は、気泡検出センサ部１と、ポンプ機構２と、閉塞センサ部３と、チューブクランプ保持部４と、解除レバー部５と、チューブ規定部６と、を備える。
【００３１】
気泡検出センサ部１は、ドア部１１０が閉状態において、固定された輸液チューブ１６０（図１参照）内の気泡の有無を検出する。詳細は後述するが、本実施形態の気泡検出センサ部１は、本体部２００の筺体である本体ハウジング２００ａに対して装着されているセンサアセンブリ１０（図５等参照）により構成されている。本実施形態では、センサアセンブリ１０の送信部１５（図５参照）及び受信部１６（図５参照）により送受信される超音波等の所定の信号により、輸液チューブ１６０（図１参照）内の気泡の有無が検出される。
【００３２】
ポンプ機構２は、輸液チューブ１６０（図１参照）を順次押圧し、圧閉する複数のフィンガ２１４ａ、２１４ｂ、２１４ｃ、２１４ｄ及び２１４ｅが、輸液チューブ１６０の流路上流側から流路下流側に向かって（送液方向Ａに向かって）配列されている。
【００３３】
閉塞センサ部３は、永久磁石と、この永久磁石の移動量をアナログ的に検出するためのピックアップと、から構成されている。閉塞センサ部３では、輸液チューブ１６０（図１参照）の閉塞状態に伴う内圧変化に応じて移動した永久磁石の移動量を検出することで、輸液チューブ１６０（図１参照）の閉塞状態を検出する。
【００３４】
チューブクランプ保持部４は、輸液チューブ１６０（図１参照）に取り付けられたクランプを保持するとともに、ドア部１１０が開状態となった場合に、クランプに対して、輸液チューブ１６０（図１参照）を一時的に圧閉するための押圧力を付加する。
【００３５】
解除レバー部５は、医療従事者等の操作者が操作することで、チューブクランプ保持部４によるクランプに対する押圧力の付加が解除（つまり、クランプによる輸液チューブ１６０（図１参照）の圧閉が解除）される。
【００３６】
チューブ規定部６は、輸液チューブ１６０（図１参照）が本体部２００に装着される際に、輸液チューブ１６０（図１参照）の延在方向と直交する方向の位置を規定する。
【００３７】
図２に示すように、本体部２００は、輸液ポンプ１００を持ち運ぶ際にユーザが把持するためのハンドル７を更に備えてもよい。
【００３８】
図２に示すように、ドア部１１０はドアハウジング１１０ａを備え、このドアハウジング１１０ａが、ヒンジ部２０２を介して本体部２００の本体ハウジング２００ａに回動可能に取り付けられている。このようにして、本実施形態のドア部１１０は、本体部２００に対して開閉自在に構成されている。
【００３９】
ドア部１１０の背面側には、エラストマーにより形成され、ドア部１１０の閉状態において、本体部２００の内部に薬液が浸入するのを防止するドアシールゴム２０３が配されている。
【００４０】
ドア部１１０の背面側には、押圧部１０７が配されている。押圧部１０７は、ドア部１１０が本体部２００に対して閉じられる際に、後述のセンサアセンブリ１０（図５等参照）の第２固定部１３を押圧する。この詳細は後述する。
【００４１】
また、ドア部１１０の背面側には、位置保持部１０８が配されている。位置保持部１０８は、ドア部１１０が本体部２００に対して閉じられる際に、輸液チューブ１６０（図１参照）に当接し、輸液チューブ１６０を本体部２００における固定位置に保持する。この詳細は後述する。
【００４２】
また、ドア部１１０の背面側には、バッファプレート機構２０４が配されている。バッファプレート機構２０４は、ドア部１１０の閉状態で、上述の複数のフィンガ２１４ａ〜２１４ｅによって輸液チューブ１６０（図１参照）が順次押圧された際に、輸液チューブ１６０（図１参照）をドア部１１０側から支持する。
【００４３】
更に、ドア部１１０の背面側には、閉塞押え板２０５が配されている。閉塞押え板２０５は、ドア部１１０の閉状態で、上述の閉塞センサ部３との間で輸液チューブ１６０（図１参照）を挟持する。
【００４４】
次に、本体部２００の気泡検出センサ部１の詳細について説明する。
【００４５】
図３は、本実施形態の本体部２００の気泡検出センサ部１及びその近傍を示す図である。図３は、気泡検出センサ部１を構成するセンサアセンブリ１０が本体部２００の本体ハウジング２００ａに対して取り付けられている状態での、センサアセンブリ１０及び本体ハウジング２００ａの位置関係を示している。図３に示すセンサアセンブリ１０及び本体ハウジング２００ａの位置関係は、センサアセンブリ１０及び本体ハウジング２００ａを送液方向Ａに沿って見た場合の位置関係である。また、図３では、説明の便宜上、開状態のドア部１１０を二点鎖線により示している。更に、図３では、説明の便宜上、本体部２００に固定するための所定位置に配置された輸液チューブ１６０を二点鎖線により示している。図４は、図２のI-I線での断面のうち、気泡検出センサ部１及びその近傍を拡大して示す断面図である。
【００４６】
図３、図４に示すように、本実施形態の本体部２００の気泡検出センサ部１は、第１固定部１２と、第２固定部１３と、付勢部１４と、送信部１５と、受信部１６と、液体阻害部１７と、制御部１８と、を備えている。上述したように、本実施形態の気泡検出センサ部１は、本体ハウジング２００ａに対して装着されている、上述の各部が搭載されているセンサアセンブリ１０により構成されている。センサアセンブリ１０の詳細は後述する（図５〜図８参照）。
【００４７】
第１固定部１２は、ドア部１１０が閉状態で、第２固定部１３との間で輸液チューブ１６０を挟み込み、輸液チューブ１６０の位置を固定する。本実施形態の第１固定部１２は、本体部２００において位置が固定されており移動しない。また、図３、図４に示すように、本実施形態の第１固定部１２は、本体部２００において、本体ハウジング２００ａの開口部を通じて本体ハウジング２００ａから正面側に向かって突出する突出部により構成されている。
【００４８】
第２固定部１３は、押し付け位置と、解放位置と、の間を移動可能である。押し付け位置とは、第１固定部１２に対して輸液チューブ１６０を押し付ける位置である。解放位置とは、第１固定部１２に対する輸液チューブ１６０の押し付けを解放する解放位置である。より具体的に、本実施形態の解放位置は、押し付け位置よりも第１固定部１２から離間した退避位置である。このように、第２固定部１３は、第１固定部１２に対して相対的に移動することで、第１固定部１２との間で輸液チューブ１６０を挟み込む押し付け位置と、第１固定部１２との間で輸液チューブ１６０を挟み込まない解放位置と、の間を移動することができる。図３、図４では、第２固定部１３が、解放位置にある状態を示している。また、詳細は後述するが、本実施形態の第２固定部１３は、ドア部１１０が開状態から閉状態にされることで、ドア部１１０の押圧部１０７により押圧される（図９参照）。これにより、本実施形態の第２固定部１３は、解放位置から押し付け位置に移動する（図９参照）。逆に、本実施形態の第２固定部１３は、ドア部１１０が閉状態から開状態にされることで、ドア部１１０の押圧部１０７による押圧が解除される。これにより、本実施形態の第２固定部１３は、押し付け位置から解放位置に移動する（図３、図４参照）。図３、図４では、説明の便宜上、ドア部１１０の押圧部１０７の位置を二点鎖線により示している。
【００４９】
また、第２固定部１３は、回動軸３２ｂに対して回動可能である。第２固定部１３は、回動軸３２ｂに対して回動することで、押し付け位置と解放位置との間を移動可能である。本実施形態の回動軸３２ｂは送液方向Ａに延在しており、本実施形態の第２固定部１３は、送液方向Ａと直交する面内で回動可能である。
【００５０】
また、本実施形態の第２固定部１３は、本体部２００において、本体ハウジング２００ａの開口部を通じて本体ハウジング２００ａから正面側に向かって突出する突出部により構成されている。つまり、図３、図４に示すように、本実施形態の第２固定部１３は、本体部２００において、第１固定部１２と同様、本体ハウジング２００ａから正面側に向かって突出している。
【００５１】
図４に示すように、付勢部１４は、第２固定部１３を解放位置に向かって付勢する。また、付勢部１４は、回動軸３２ｂ上に搭載されている付勢部材３４により構成されている。詳細は後述するが、本実施形態の付勢部材３４は、ねじりコイルばねにより構成されている。
【００５２】
図３、図４に示すように、送信部１５は、第１固定部１２及び第２固定部１３の一方に配される。本実施形態の送信部１５は、第１固定部１２に配されている。また、送信部１５は、第１固定部１２と第２固定部１３との間に挟み込まれた輸液チューブ１６０に向かって所定の信号を送信する。所定の信号は、例えば超音波とすることができる。また、図３、図４に示すように、受信部１６は、第１固定部１２及び第２固定部１３の他方に配される。本実施形態の受信部１６は、第２固定部１３に配されている。また、受信部１６は、送信部１５から送信された信号を受信する。このような送信部１５及び受信部１６を用いることで、輸液チューブ１６０内の気泡の検出が可能となる。
【００５３】
図３、図４に示すように、液体阻害部１７は、本体部２００の外部から本体部２００の内部に侵入する液体を阻害する。本実施形態の液体阻害部１７を構成するシール部材３７の詳細は後述する。
【００５４】
図３、図４に示すように、制御部１８は、送信部１５から送信された信号、及び、受信部１６により受信された信号、に基づいて、輸液チューブ１６０内の気泡の有無を検出する。本実施形態の制御部１８は、制御基板３８により構成されている。
【００５５】
上述したように、本実施形態の本体部２００の気泡検出センサ部１は、本体ハウジング２００ａに対して取り付けられているセンサアセンブリ１０により構成されている。以下、センサアセンブリ１０の詳細について説明する。
【００５６】
図５は、センサアセンブリ１０を示す斜視図である。図６は、センサアセンブリ１０の分解斜視図である。また、図７は、図６と異なる視点から見た、センサアセンブリ１０の分解斜視図である。図８は、センサアセンブリ１０の背面側を示す背面図である。
【００５７】
図３〜図８に示すように、センサアセンブリ１０は、本体部２００の気泡検出センサ部１における、第１固定部１２と、第２固定部１３と、付勢部１４と、送信部１５と、受信部１６と、液体阻害部１７と、制御部１８と、を構成している。より具体的に、センサアセンブリ１０は、上述の第１固定部１２を構成する第１固定部材３２と、上述の第２固定部１３を構成する第２固定部材３３と、上述の付勢部１４を構成する付勢部材３４と、上述の送信部１５を構成する送信器３５と、上述の受信部１６を構成する受信器３６と、上述の液体阻害部１７を構成するシール部材３７と、上述の制御部１８を構成する制御基板３８と、を備える。
【００５８】
第１固定部材３２は、本体部２００の本体ハウジング２００ａに取り付けられる取付本体部３２ａと、この取付本体部３２ａに支持されている回動軸３２ｂと、取付本体部３２ａから突出する上述の第１固定部１２と、を備える。
【００５９】
第１固定部材３２の取付本体部３２ａには、第２固定部材３３、付勢部材３４、送信器３５、受信器３６、シール部材３７及び制御基板３８が直接的又は間接的に取り付けられている。
【００６０】
図６等に示すように、本実施形態の取付本体部３２ａは、離間して対向する一対の板部３２ａ１及び３２ａ２と、これら一対の板部３２ａ１及び３２ａ２を連結する連結板部３２ａ３と、を備える。一対の板部３２ａ１及び３２ａ２それぞれには、厚み方向で相互に重なる位置に挿通孔４１が形成されている。
【００６１】
更に、本実施形態の取付本体部３２ａには、取付孔４２が形成されている。取付孔４２にはビス等の締結部材が挿通される。つまり、センサアセンブリ１０は、取付本体部３２ａの取付孔４２に挿通されるビス等の締結部材により、本体部２００（図３等参照）の本体ハウジング２００ａ（図３等参照）に対して固定可能である。
【００６２】
回動軸３２ｂは、上述したように取付本体部３２ａに支持されている。具体的に、本実施形態の回動軸３２ｂは、取付本体部３２ａと別体で形成され、取付本体部３２ａに取り付けられている軸部材により構成されている。回動軸３２ｂを構成する軸部材は、取付本体部３２ａの一対の板部３２ａ１及び３２ａ２それぞれの挿通孔４１に挿通された状態で、スナップリングＲを用いて、一対の板部３２ａ１及び３２ａ２に対して取り付けられている。より具体的に、回動軸３２ｂを構成する軸部材は、その一端側に設けられているフランジ部と、他端側に取り付けられたスナップリングＲと、により、一対の板部３２ａ１及び３２ａ２からの抜け落ちが防止されている。本実施形態では、回動軸３２ｂを構成する軸部材が、スナップリングＲを用いて取付本体部３２ａに取り付けられているが、軸部材の取付構成はこの構成に限られない。
【００６３】
また、回動軸３２ｂには、後述の第２固定部材３３が回動自在に取り付けられる。
【００６４】
第１固定部１２は、取付本体部３２ａと一体で形成されている。第１固定部１２と取付本体部３２ａとが別体で形成され、相対的に移動不能に相互に固定されていてもよいが、本実施形態のように、第１固定部１２と取付本体部３２ａとが一体で形成されていることが好ましい。このようにすることで、部材点数を減らし、第１固定部１２と後述の第２固定部１３との位置関係の精度を高めることができる。本実施形態の第１固定部１２は、取付本体部３２ａの連結板部３２ａ３（図６参照）から突出している。
【００６５】
第１固定部１２は内部に中空部１２ａ（図４参照）を区画しており、後述の送信部１５を構成する送信器３５を収容している。
【００６６】
第１固定部材３２の取付本体部３２ａ、回動軸３２ｂ、及び、第１固定部１２は、例えば、耐薬品性を有する成型樹脂材料により構成される。
【００６７】
第２固定部材３３は、第１固定部材３２の回動軸３２ｂに回動可能に取り付けられる取付部３３ａと、第２固定部１３と、を備える。
【００６８】
取付部３３ａには、回動軸３２ｂを挿通可能な挿通孔４３が形成されている。この挿通孔４３に回動軸３２ｂが挿通されることで、取付部３３ａは回動軸３２ｂに対して回動可能に取り付けられる。より具体的に、本実施形態の取付部３３ａは、対向配置されている一対の板部３３ａ１及び３３ａ２を備える。一対の板部３３ａ１及び３３ａ２それぞれには、厚み方向で相互に重なる位置に挿通孔４３が形成されている。本実施形態の回動軸３２ｂは、一対の板部３３ａ１及び３３ａ２の両方の挿通孔４３に挿通されている。
【００６９】
第２固定部１３は、本体部２００（図３等参照）において、第１固定部１２に対して輸液チューブ１６０（図３等参照）を押し付ける押し付け位置と、第１固定部１２に対する輸液チューブ１６０の押し付けを解放する解放位置と、の間を移動できる。より具体的に、第２固定部１３は、回動軸３２ｂに対して回動することにより、押し付け位置と解放位置との間で移動することができる。図５では、図３、図４と同様、第２固定部１３が、解放位置にある状態を示している。
【００７０】
より具体的に、本実施形態の第２固定部１３は、取付部３３ａと一体で形成されている。そのため、本実施形態の第２固定部１３は、取付部３３ａが回動軸３２ｂに対して回動することにより、取付部３３ａと共に回動軸３２ｂに対して回動する。また、第２固定部１３は、取付部３３ａが回動軸３２ｂに回動可能に取り付けられている状態で、取付本体部３２ａの連結板部３２ａ３（図６参照）から突出している。
【００７１】
本実施形態の第２固定部１３は、第１固定部材３２に設けられた回動軸３２ｂに対して回動可能に構成されているが、上述の押し付け位置と解放位置との間で移動できれば、例えば、本体ハウジング２００ａ（図３等参照）などの別の部材に設けられた回動軸に対して回動可能な構成であってもよい。
【００７２】
第２固定部１３は内部に中空部１３ａ（図４参照）を区画しており、後述の受信部１６を構成する受信器３６を収容している。
【００７３】
第２固定部材３３の取付部３３ａ及び第２固定部１３は、例えば、耐薬品性を有する成型樹脂材料により構成される。
【００７４】
付勢部材３４は、第２固定部１３を解放位置に向かって付勢する付勢部１４を構成している。また、付勢部１４を構成する付勢部材３４は、回動軸３２ｂ上に搭載されている。付勢部材３４を、回動軸３２ｂ上に搭載することで、回動軸３２ｂとは別の位置に付勢部材を配置する構成と比較して、センサアセンブリ１０を小型化し易い。そのため、輸液ポンプ全体についても、回動軸３２ｂ上に付勢部材３４を搭載することで省スペース化でき、小型化し易くなる。
【００７５】
具体的に、本実施形態の付勢部材３４は、回動軸３２ｂ上に搭載されているねじりコイルばねである。図６〜図８に示すように、本実施形態の付勢部材３４としてのねじりコイルばねは、螺旋状に延在するコイル部２１ａと、このコイル部２１ａの両端に延設されている係止部２１ｂと、を備える。本実施形態のねじりコイルばねは、回動軸３２ｂがコイル部２１ａの中空部に挿通され、コイル部２１ａが回動軸３２ｂの外周上に載置されるようにして配置される。コイル部２１ａが回動軸３２ｂ上に配置されている状態で、一方の係止部２１ｂは第２固定部材３３に係止される。また、他方の係止部２１ｂは、第２固定部材３３以外の部材に係止される。より具体的に、本実施形態の他方の係止部２１ｂは、第１固定部材３２に係止されている。このようにすることで、ねじりコイルばねの付勢力としての弾性力を用いて、第２固定部材３３を解放位置に向かって付勢することができる。付勢部材３４により第２固定部材３３の第２固定部１３を解放位置に向かって付勢することにより、輸液チューブ１６０（図３等参照）を第１固定部材３２の第１固定部１２と第２固定部材３３の第２固定部１３との間の位置に配置させる際に、第２固定部１３を解放位置に維持し易い。そのため、輸液チューブ１６０を輸液ポンプ１００（図２等参照）に固定する際に、輸液チューブ１６０（図３等参照）を第１固定部１２と第２固定部１３との間に配置させ易くなる。
【００７６】
また、図８に示すように、本実施形態の係止部２１ｂは、第１固定部材３２及び第２固定部材３３に形成されている貫通孔２２を利用して係止されているが、係止するための構成はこの構成に限られない。
【００７７】
送信器３５は、第１固定部１２に配されている送信部１５を構成している。本実施形態の送信器３５は、第１固定部材３２の第１固定部１２と第２固定部材３３の第２固定部１３との間で挟み込まれた輸液チューブ１６０（図３等参照）に向かって所定の信号を送信することができる。所定の信号としては、例えば、超音波が挙げられる。したがって、送信部１５を構成する送信器３５は、例えば、超音波を送信可能な構成とすることができる。
【００７８】
また、本実施形態の送信器３５は、第１固定部１２の内部に配置されている。本実施形態の第１固定部１２は、上述したように、内部に中空部１２ａ（図４参照）を区画する突出部により構成されている。つまり、本実施形態の送信器３５は、第１固定部１２の中空部１２ａ（図４参照）に配置されている。
【００７９】
受信器３６は、第２固定部１３に配されている受信部１６を構成している。本実施形態の受信器３６は、送信器３５から送信された信号を受信することができる。受信器３６は、例えば、超音波を受信可能な構成とすることができる。
【００８０】
本実施形態の受信器３６は、第２固定部１３の内部に配置されている。本実施形態の第２固定部１３は、上述したように、内部に中空部１３ａ（図４参照）を区画する突出部により構成されている。つまり、本実施形態の受信器３６は、第２固定部１３の中空部１３ａ（図４参照）に配置されている。
【００８１】
本実施形態の液体阻害部１７を構成するシール部材３７は、第２固定部１３の周囲で本体部２００の外部から本体部２００の内部に侵入する液体を阻害する。具体的に、本実施形態の第２固定部１３は本体部２００の外部、すなわち、本体ハウジング２００ａの外部、に露出している。その一方で、回動軸３２ｂ及び付勢部材３４は本体部２００の内部、すなわち、本体ハウジング２００ａの内部、に収容されている。つまり、本実施形態の第２固定部１３を含む第２固定部材３３は、本体ハウジング２００ａの内外に亘って延在している。更に、第２固定部１３を含む第２固定部材３３は、本体部２００の本体ハウジング２００ａに対して移動する。そのため、第２固定部材３３と本体ハウジング２００ａとの間には隙間がある。そのため、第２固定部１３の周囲で、本体部２００の外部から、上述の隙間を通じて、本体部２００の内部へと、薬液等の液体が進入する可能性がある。液体阻害部１７は、このような液体の侵入を阻害する。これにより、本体部２００の内部の回動軸３２ｂ及び付勢部材３４に液体が付着することを抑制できる。つまり、例えば高カロリー輸液剤などの液体が回動軸３２ｂ及び付勢部材３４に付着・固化して正常に動作しなくなるような問題の発生を抑制できる。
【００８２】
より具体的に、本実施形態の液体阻害部１７を構成するシール部材３７は、本実施形態の第２固定部材３３の延在方向（本実施形態では第２固定部１３の突出方向と同じ方向）と直交する方向の周囲に位置する周囲側壁を取り囲んでいる。また、本実施形態のシール部材３７は、第２固定部材３３の周囲側壁に接触することで、第２固定部材３３の周囲の隙間をシールしている。換言すれば、図６、図７に示すように、本実施形態の液体阻害部１７を構成するシール部材３７には収容孔３７ａが形成されており、本実施形態の第２固定部材３３は、シール部材３７の収容孔３７ａに挿通されている。そして、第２固定部材３３の延在方向と直交する方向に位置する周囲側壁が収容孔３７ａの内壁に接触することで、第２固定部材３３の周囲がシールされている。このようにすることで、シール部材３７により、移動可能な第２固定部材３３の周囲に形成される隙間をシールすることができる。
【００８３】
また、図４に示すように、第２固定部材３３の周囲側壁には環状溝４４が形成されている。この環状溝４４は、第２固定部材３３の周囲側壁のうち、第２固定部１３の位置よりも取付部３３ａ側に形成されている。シール部材３７は、この環状溝４４に嵌合している。これにより、シール部材３７が、第２固定部材３３の周囲側壁上を、第２固定部材３３の延在方向に沿って摺動することが抑制される。そのため、シール部材３７と、第２固定部材３３の周囲側壁と、の間の密着状態が維持され易い。
【００８４】
更に、図６、図７に示すように、本実施形態の液体阻害部１７を構成するシール部材３７には、第２固定部材３３が挿通される上述の収容孔３７ａに加えて、第１固定部材３２を収容する別の収容孔３７ｂが形成されている。
【００８５】
また、本実施形態の液体阻害部１７を構成するシール部材３７は、第１固定部１２に対する第２固定部１３の移動に追従して変形する変形部３７ｃを備える。具体的に、本実施形態の変形部３７ｃは、図４に示すように、蛇腹状部により構成されている。この変形部３７ｃとしての蛇腹状部は、第２固定部１３の押し付け位置と解放位置との間の移動に伴い伸縮するように変形する。本実施形態のシール部材３７では、少なくとも収容孔３７ａの周囲全域に、変形部３７ｃとしての蛇腹状部が設けられている。
【００８６】
本実施形態の液体阻害部１７を構成するシール部材３７は、第１固定部材３２の取付本体部３２ａに取り付けられている。シール部材３７は、例えば、各種ゴム材料、各種熱可塑性エラストマーなどの弾性部材により構成することができる。
【００８７】
制御基板３８は、送信部１５を構成する送信器３５から送信される信号と、受信部１６を構成する受信器３６が受信する信号と、に基づき、輸液チューブ１６０（図３等参照）内の気泡の有無を判断する制御部１８を構成している。送信器３５及び受信器３６それぞれと、制御基板３８と、の間は不図示の信号線により電気的に接続されている。
【００８８】
以上のように、本実施形態の輸液ポンプ１００の本体部２００の気泡検出センサ部１は、第１固定部１２、第２固定部１３、付勢部１４、送信部１５、受信部１６、液体阻害部１７及び制御部１８を備えている。本実施形態の輸液ポンプ１００の本体部２００では、上述の第１固定部１２、第２固定部１３、付勢部１４、送信部１５、受信部１６、液体阻害部１７及び制御部１８が、センサアセンブリ１０により構成されているが、この構成に限られず、例えば、本体部２００の本体ハウジング２００ａ（図３等参照）に個別に取り付けられる各部材により、上述の各部が構成されていてもよい。また、本実施形態では、上述の各部が１つのセンサアセンブリ１０（図５参照）に搭載されているが、複数のアセンブリに分けて搭載され、これら複数のアセンブリを本体ハウジング２００ａ（図３等参照）にそれぞれ取り付ける構成としてもよい。但し、本実施形態のセンサアセンブリ１０のように、少なくとも第１固定部１２及び第２固定部１３を１つのアセンブリに纏めて搭載し、このアセンブリを本体部２００の本体ハウジング２００ａに取り付ける構成とすることが好ましい。このようにすることで、第１固定部１２及び第２固定部１３が別々のアセンブリに搭載される構成と比較して、本体部２００において相対的に移動可能な第１固定部１２及び第２固定部１３の位置関係の精度を高めることができる。
【００８９】
次に、ドア部１１０を開状態（図３、図４参照）から閉状態に変化させる際の各部の動作について説明する。図９は、ドア部１１０が閉状態での図４と同位置での断面を示す断面図である。
【００９０】
ドア部１１０を図４に示す状態から本体部２００に近づけるように移動させる、つまり、本体部２００に対してドア部１１０が閉じられる際に（図４における二点鎖線矢印を参照）、ドア部１１０の押圧部１０７は、付勢部材３４としてのねじりコイルばねの付勢力（本例では弾性力）に抗して、第２固定部１３を押し付け位置に向かって押圧する。より具体的に、本実施形態のドア部１１０の背面側に設けられた押圧部１０７は、ドア部１１０の背面側に向かって突出する突出部により構成されている。押圧部１０７は、例えばドアハウジング１１０ａと一体で形成されている。また、押圧部１０７としての突出部には、本体部２００に対してドア部１１０が閉じられる際に、第２固定部１３と摺動しながら第２固定部１３を第１固定部１２に近づくように押圧する摺動面１０７ａが設けられている。この摺動面１０７ａは、ドア部１１０の厚み方向Ｂに対して傾斜する傾斜面により構成されている。このようにすることで、本実施形態の輸液ポンプ１００では、ドア部１１０を開状態（図４参照）から閉状態（図９参照）にすることで、押圧部１０７の摺動面１０７ａが付勢部材３４の付勢力に抗して第２固定部１３を押圧し、第２固定部１３を移動させ、解放位置から押し付け位置へと移動させることができる。
【００９１】
また、図３、図４、図９に示すように、ドア部１１０の背面側に設けられた位置保持部１０８は、ドア部１１０が本体部２００に対して閉じられる際に、輸液チューブ１６０に当接し、第１固定部１２及び第２固定部１３の間に輸液チューブ１６０の位置を保持する。本実施形態の位置保持部１０８は、ドア部１１０の背面側に向かって突出する突出部により構成されている。また、位置保持部１０８は、例えばドアハウジング１１０ａと一体で形成されている。このような位置保持部１０８を設けることで、ドア部１１０を開状態（図４等参照）から閉状態（図９参照）に変化させる際に、例えば輸液チューブ１６０が第１固定部１２及び第２固定部１３との間で滑り、輸液チューブ１６０が第１固定部１２及び第２固定部１３の間から外れてしまうことを抑制できる。つまり、位置保持部１０８により、輸液チューブ１６０のドア部１１０の厚み方向Ｂでの位置を規制することができる。図３、図４、図９では、説明の便宜上、位置保持部１０８の位置を二点鎖線により示している。
【００９２】
また、図３、図４、図９に示すように、位置保持部１０８は、輸液チューブ１６０の外周面を受ける湾曲凹部１０８ａを備えている。これにより、輸液チューブ１６０が湾曲凹部１０８ａに嵌合する。そのため、位置保持部１０８は、第１固定部１２及び第２固定部１３との間のより正確な位置へと、輸液チューブ１６０を案内することができる。
【００９３】
更に、図２に示すように、位置保持部１０８は、押圧部１０７に対して、本体部２００に固定される輸液チューブ１６０（図１等参照）の流路下流側である送液方向Ａと、本体部２００に固定される輸液チューブ１６０（図１等参照）の流路上流側である送液方向Ａの逆方向と、の両方に設けられている。このようにすることで、輸液チューブ１６０を、第１固定部１２及び第２固定部１３との間のより正確な位置へと案内することができる。
【００９４】
次に、図９を参照して、ドア部１１０が閉状態での、本体部２００内における各部の位置関係について説明する。
【００９５】
図９に示すように、本実施形態の回動軸３２ｂ及び付勢部材３４は、本体部２００に対してドア部１１０が閉じられている閉状態で、第２固定部１３を挟んでドア部１１０と反対側に位置している。回動軸３２ｂ及び付勢部材３４をこのように配置することで、第２固定部１３を回動するための回動機構と、第２固定部１３を付勢するための付勢機構と、を第２固定部１３の背面側の近傍に纏めて配置し易い。そのため、第２固定部１３の回動機構及び付勢機構を小型化し易くなり、その結果、輸液ポンプ１００の小型化を実現し易くなる。
【００９６】
また、図９に示すように、本実施形態の液体阻害部１７を構成するシール部材３７は、本体部２００に対してドア部１１０が閉じられている閉状態で、第２固定部１３に配されている送信部又は受信部（本実施形態では受信部１６）に対してドア部１１０側とは反対側、かつ、回動軸３２ｂ及び付勢部材３４に対してドア部１１０側、に配置されている。
【００９７】
より具体的に、本実施形態の第１固定部１２及び第２固定部１３は、本体ハウジング２００ａの正面側の外部に露出している。これに対して、本実施形態の回動軸３２ｂ及び付勢部材３４は、本体ハウジング２００ａの内部に収容されている。本実施形態の液体阻害部１７を構成するシール部材３７は、第１固定部１２を含む第１固定部材３２と、第２固定部１３を含む第２固定部材３３と、本体ハウジング２００ａと、の相互間に形成される隙間をシールしている。そのため、本実施形態の液体阻害部１７を構成するシール部材３７により、第１固定部１２を含む第１固定部材３２と、第２固定部１３を含む第２固定部材３３と、本体ハウジング２００ａと、の相互間で形成される隙間から、回動軸３２ｂ及び付勢部材３４が収容された本体部２００の内部に液体が進入することを抑制することができる。
【００９８】
本開示に係る輸液ポンプは、上述の実施形態に示す具体的な構成に限定されず、請求の範囲を逸脱しない限り、種々の変形・変更が可能である。上述の実施形態では、第１固定部１２に送信部１５が配され、第２固定部１３に受信部１６が配されているが、第１固定部１２に受信部１６が配され、第２固定部１３に送信部１５が配される構成であってもよい。
【産業上の利用可能性】
【００９９】
本開示は輸液ポンプに関する。
【符号の説明】
【０１００】
１：気泡検出センサ部
２：ポンプ機構
３：閉塞センサ部
４：チューブクランプ保持部
５：解除レバー部
６：チューブ規定部
７：ハンドル
１０：センサアセンブリ
１２：第１固定部
１２ａ：中空部
１３：第２固定部
１３ａ：中空部
１４：付勢部
１５：送信部
１６：受信部
１７：液体阻害部
１８：制御部
２１ａ：コイル部
２１ｂ：係止部
２２：貫通孔
３２：第１固定部材
３２ａ：取付本体部
３２ａ１、３２ａ２：板部
３２ａ３：連結板部
３２ｂ：回動軸
３３：第２固定部材
３３ａ：取付部
３３ａ１、３３ａ２：板部
３４：付勢部材
３５：送信器
３６：受信器
３７：シール部材
３７ａ：収容孔
３７ｂ：収容孔
３７ｃ：変形部
３８：制御基板
４１：挿通孔
４２：取付孔
４３：挿通孔
４４：環状溝
１００：輸液ポンプ
１０７：押圧部
１０７ａ：摺動面
１０８：位置保持部
１０８ａ：湾曲凹部
１１０：ドア部
１１０ａ：ドアハウジング
１２０：表示部
１２１：流量表示部
１２２：予定量積算量表示部
１２３：アラーム表示部
１２４：閉塞圧設定表示部
１２５：気泡検出表示部
１２６：バッテリ電圧低下表示部
１２７：閉塞異常表示部
１２８：ドア開状態表示部
１２９：完了表示部
１３０：操作部
１３１：アップダウンスイッチ
１３２：早送りスイッチ
１３３：停止スイッチ
１３４：開始スイッチ
１３５：電源スイッチ
１３６：電源ランプ
１３７：バッテリランプ
１４０：ドアロックレバー
１５０：動作インジケータ
１６０：輸液チューブ
１６１：輸液バッグ
１６２：クランプ部材
１６３：留置針
２００：本体部
２００ａ：本体ハウジング
２０２：ヒンジ部
２０３：ドアシールゴム
２０４：バッファプレート機構
２０５：閉塞押え板
２１４ａ〜２１４ｅ：フィンガ
Ａ：送液方向
Ｂ：ドア部の厚み方向
Ｒ：スナップリング
【図１】
2020153036.tif 000003
【図２】
2020153036.tif 000004
【図３】
2020153036.tif 000005
【図４】
2020153036.tif 000006
【図５】
2020153036.tif 000007
【図６】
2020153036.tif 000008
【図７】
2020153036.tif 000009
【図８】
2020153036.tif 000010
【図９】
2020153036.tif 000011
【国際調査報告】
2020153036.tif 000012
2020153036.tif 000013
2020153036.tif 000014
2020153036.tif 000015